(57)【要約】【課題】２つの組の電極端子への電力入力により発光色を変化させる発光装置であって、黒体輻射軌跡に沿うような発光色の変化を簡易な構成で実現し、限られた光源部面積でも効率的に許容入力電力を大きくすることを可能とする。【解決手段】発光装置は、２つの組の電極端子間それぞれに、半導体発光素子を有する並列に接続された複数の発光回路を備え、それぞれの電極端子間の少なくとも１つの発光回路は、いずれかの電極端子間で通電する個別発光回路であって、少なくとも１つの発光回路は、いずれの電極端子間からも通電する共通配線部を有する共有発光回路であって、個別の電極端子間の通電による発光装置の発光色はそれぞれ異なることを特徴とする。【選択図】図１
2019091874.tif 000002
【特許請求の範囲】
【請求項１】
第１の組の電極端子間と第２の組の電極端子間それぞれに、並列に接続された複数の発光回路を備えた発光装置であって、
それぞれの前記発光回路は半導体発光素子を有する発光部を備え、
それぞれの前記電極端子間の少なくとも１つの前記発光回路は、いずれかの前記電極端子間で通電する個別発光回路であって、
それぞれの前記電極端子間の少なくとも１つの前記発光回路は、いずれの前記電極端子間からも通電する共通配線部を有する共有発光回路であって、
前記第１の組の電極端子間のみの通電による発光色と前記第２の組の電極端子間のみの通電による発光色はそれぞれ異なることを特徴とする、発光装置。
【請求項２】
それぞれの前記電極端子間において、前記個別発光回路の発光色と前記共有発光回路の発光色が異なることを特徴とする、請求項１に記載の発光装置。
【請求項３】
前記第１の組の電極端子間のみの通電による発光色の色度点と前記第２の組の電極端子間のみの通電による発光色の色度点を結ぶ直線に対して、
前記個別発光回路の発光色の色度点は正の領域に存在し、
前記共有発光回路の発光色の色度点は負の領域に存在することを特徴とする、請求項２に記載の発光装置。
【請求項４】
前記個別発光回路の発光色の色度点が、黒体輻射軌跡に対して正の領域に存在し、前記共有発光回路の発光色の色度点が、黒体輻射軌跡に対して負の領域に存在することを特徴とする、請求項２に記載の発光装置。
【請求項５】
前記共通配線部は前記半導体発光素子を有する前記発光部を備えることを特徴とする、請求項１に記載の発光装置。
【請求項６】
前記第１の組の電極端子と前記第２の組の電極端子と接続する分流器を備え、
前記分流器は単一の電源からの入力電流を分流することを特徴とする、請求項１に記載の発光装置。
【発明の詳細な説明】
【技術分野】
【０００１】
本発明は発光装置に関し、より特定的には複数の電極端子からの電力入力によって光出力と発光色の調整が可能な発光装置に関する。
【背景技術】
【０００２】
近年、発光ダイオード（ＬＥＤ）を始め、有機ＥＬ、無機ＥＬなどの半導体発光素子が開発され、発光効率の高さや長寿命であることなどから、照明やディスプレイなどの用途に多く用いられている。
【０００３】
照明用途においては、時間帯やシーンなどに応じて明るさや発光色を調整（調光調色）する照明器具も開発されており、半導体発光素子を用いた照明の高機能化がさらに進んでいる。特に生体リズムを考慮したサーカディアン照明制御の普及によって、白色系の光を電球色から昼光色に渡って変化させる発光装置が今後増えていくと考えられる。
【０００４】
半導体発光素子は一般に入力電力に対して略一定の発光色を示すため、例えばＬＥＤを用いた発光装置において色を変化させるには、異なる発光色を発する複数のＬＥＤの光を混合する必要がある。これは他の半導体発光素子についても同様である。
【０００５】
白色系の光を発する発光装置についても、２つの組の電極端子間に、電球色の光を発する発光部を備えた発光回路と、昼光色の光を発する発光部を備えた発光回路を備え、それぞれの発光回路への入力電力を電流量やＰＷＭ（Ｐｕｌｓｅ  Ｗｉｄｔｈ  Ｍｏｄｕｌａｔｉｏｎ）などにより制御する手法で、調光調色が可能な照明器具が実現されている。
【０００６】
発光色は一般にＣＩＥ１９３１色度図上のｘｙ座標による色度点などで表現されるが、例えば、電球色と昼光色の２種類の発光回路によって調色を行う場合、発光装置の発光色を示す色度点は、それぞれの発光回路の発光色を示す色度点の間をｘｙ色度図上で直線的に変化することとなる。なお、本発明の明細書においては、特記無い限り、色度点はＣＩＥ１９３１色度図上のｘｙ座標にて示すこととする。
【先行技術文献】
【特許文献】
【０００７】
【特許文献１】特許第５３２０９９３号公報
【特許文献２】特許第５７１８４６１号公報
【発明の概要】
【発明が解決しようとする課題】
【０００８】
しかしながら、白色系の光色の変化は黒体輻射軌跡に沿った変化が自然であり、黒体輻射軌跡はｘｙ色度図上で緩やかな上向きの曲線を描いているため、上記の２種類の発光回路によって調色を行う場合、個々の発光回路の発光色は黒体輻射軌跡上にあっても、色変化の中間点においては発光装置の発光色は黒体輻射軌跡から離れた不自然な光の色となってしまう。
【０００９】
そのため、例えば特許文献１などに提案されているように、発光色の異なる３つ以上の発光回路を用い、それぞれの発光回路への入力電力調整によって、黒体輻射軌跡に沿った発光装置の発光色変化を得る手法が知られている。
【００１０】
しかし、そのためには明るさと発光色の設定を受けて、３つ以上の発光回路への必要な入力電力値を演算し、各発光回路への入力電力値を指定する信号を各電力供給源に送るといったシステム制御が必要であり、構造が複雑となってコストが高くなってしまう。
【００１１】
さらに、発光回路そのものが増えることでコストが高くなることや、各発光回路と電流供給部をつなぐ、３組以上の電極端子の接続が必要となり、煩雑であるなどの課題もある。
【００１２】
また、いずれの手法においても、それぞれの発光回路は個別に通電されるため、特定の発光色の発光回路の通電のみで高い光出力を得るためには、その回路上の発光素子数を増やし、より多くの電力が入力できるようにする必要がある。しかし、発光装置に多くの発光素子が必要となることはコストアップにつながり、またより広い実装面積が必要となる。また、入力電力を大きくすれば、発光素子あたりの電流量が多くなるため、発光効率が低下してしまう。
【００１３】
特に特許文献２に示されるようなチップオンボード（ＣＯＢ）タイプなど、光源部面積が限られる調光調色の発光装置については、入力電力が限られれば、光出力あたりのコストが高くなってしまうのみならず、光量が不足することなどによって適用できる照明器具が限られてしまうことともなる。
【００１４】
本発明は、前記問題点に鑑みてなされたものであり、その目的とするところは、２つの組の電極端子への電力入力によって、複雑な制御を必要とせずに黒体輻射軌跡に沿うような発光色の変化を簡易な構成で実現でき、限られた光源部面積でも効率的に許容入力電力を大きくすることが可能な発光装置を提供することである。
【課題を解決するための手段】
【００１５】
上記目的を達成するため、本発明の発光装置は、第１の組の電極端子間と第２の組の電極端子間それぞれに、並列に接続された複数の発光回路を備えた発光装置であって、それぞれの発光回路は半導体発光素子を有する発光部を備え、それぞれの電極端子間の少なくとも１つの発光回路は、いずれかの電極端子間でのみ通電する個別発光回路であって、それぞれの電極端子間の少なくとも１つの発光回路は、いずれの電極端子間からも通電する共通配線部を有する共有発光回路であって、第１の組の電極端子間のみの通電による発光装置の発光色と前記第２の組の電極端子間のみの通電による発光装置の発光色はそれぞれ異なることを特徴とする。
【００１６】
本発明の発光装置において、個別発光回路とはいずれかの電極端子間の通電によって電流が流れて発光し、異なる電極端子間の通電によっては発光しない、もしくは、発光が制限される発光回路である。
【００１７】
本発明の発光装置において、共有発光回路とは共通配線部と、共通配線部とそれぞれの電極端子間を電気的につなぐ専用配線部からなる。
【００１８】
共通配線部を有することで、２つの電極端子間の電流バランスによって、それぞれの電極端子間での個別発光回路および共有発光回路に流れる分流比率の変化による発光装置の調光調色が可能となる。また、共通配線部に発光部が備えられることで、少ない発光素子数でも効率的に許容入力電力を大きくすることができる。
【００１９】
本発明の発光装置の一様態において、それぞれの電極端子間での個別発光回路の発光色と共有発光回路の発光色が異なることを特徴とする。
【００２０】
本発明の発光装置の一様態において、第１の組の電極端子のみの通電による発光装置の発光色の色度点と第２の組の電極端子間のみの通電による発光装置の発光色の色度点を結ぶ直線に対して、個別発光回路の発光色の色度点は正の領域に存在し、共有発光回路の発光色の色度点は負の領域に存在することを特徴とする。
【００２１】
本発明の発光装置の一様態において、個別発光回路の発光色の色度点が、黒体輻射軌跡に対して正の領域に存在し、共有発光回路の発光色の色度点が、黒体輻射軌跡に対して負の領域に存在することを特徴とする。
【００２２】
各発光回路からの発光色を適切な色度点に設定することで、発光装置の発光色の色変化がｘｙ色度図上で上向きの曲線を描き、また、より黒体輻射軌跡に沿うようにすることが可能となる。
【００２３】
本発明の発光装置の一様態において、第１の組の電極端子と第２の組の電極端子と接続する分流器を備え、分流器は単一の電源からの入力電流を分流することを特徴とする
【００２４】
本発明の発光装置において、半導体発光素子は例えば、発光ダイオード（ＬＥＤ）、有機ＥＬ、無機ＥＬなどである。ＬＥＤはＩｎＧａＮ系などの青色ＬＥＤやＧａＡｌＡｓ系などの赤色ＬＥＤなど固有の発光色を発する種々のタイプのＬＥＤ素子が用いられる。一般に半導体発光素子はパッケージ化されて用いられる。
【発明の効果】
【００２５】
本発明によれば、２つの組の電極端子への電力入力によって、複雑な制御を必要とせずに黒体輻射軌跡に沿うような発光色の変化を簡易な構成で実現でき、限られた光源部面積でも効率的に許容入力電力を大きくすることが可能な発光装置を提供することが可能となる。
【図面の簡単な説明】
【００２６】
【図１】本発明の実施の形態１に係る発光装置の配線図である。
【図２】本発明の実施の形態１に係る色度座標を示す図である。
【図３】本発明の実施の形態１に係る色度座標を示す図である。
【図４】本発明の実施の形態２に係る発光装置の配線図である。
【図５】本発明の実施の形態２に係る色度座標を示す図である。
【図６】本発明の実施の形態３に係る発光装置の配線図である。
【図７】本発明の実施の形態３に係る発光装置の外形図である。
【図８】その他の参考形態に係る発光装置の配線図である。
【図９】本発明の実施例に係る色度座標を示す図である。
【発明を実施するための形態】
【００２７】
以下、本発明の発光装置について図面を用いて説明する。なお、本発明の図面において、同一の参照符号は、同一部分または相当部分を表すものである。さらに以下の説明において、同一の名称、符号については、原則として同一もしくは同質の部材を示しており、詳細説明を適宜省略する。また、長さ、幅、厚さ、深さなどの寸法関係は図面の明瞭化と簡略化のために適宜変更されており、実際の寸法関係を表すものではない。
【００２８】
（実施の形態１）
図１に示すように、本発明の実施の形態１に係る発光装置１００は、アノード電極端子１１、１３とカソード電極端子１２、１４を備え、電極端子１１と１２は１つの組であり、電極端子１３と１４は１つの組であって、それぞれの電極端子の組への通電により発光する。なお、図１に示す実施の形態においては、カソード電極端子１２、１４はコモンであっても良い。
【００２９】
配線１Ａと配線１Ｃは電極端子１１、１２間で並列に接続されており、配線１Ｂと配線１Ｃは電極端子１３、１４間で並列に接続されている。配線１Ａは接続点１１１−１１２間にＬＥＤパッケージＬ１ａ１、Ｌ１ａ２、Ｌ１ａ３を直列に有し、配線１Ｂは接続点１１３−１１４間にＬＥＤパッケージＬ１ｂ１、Ｌ１ｂ２、Ｌ１ｂ３を直列に有し、配線１Ｃは接続点１１１−１１５間にＬＥＤパッケージＬ１ｃ１、接続点１１３−１１５間にＬＥＤパッケージＬ１ｃ２、接続点１１５−１１６間にＬＥＤパッケージＬ１ｃ３、Ｌ１ｃ４を直列に有する。なお、各配線上のＬＥＤパッケージの直並列数は、所望の光出力や入力電源装置の仕様などによって適宜調整されることが好ましい。
【００３０】
配線１Ｃは電極端子１１、１２間の通電によって電流が流れる接続点１１１−１１５間の専用配線部１Ｃａと、電極端子１３、１４間の通電によって電流が流れる接続点１１３−１１５間の専用配線部１Ｃｂと、いずれの電極端子間の通電によっても電流が流れる接続点１１５−１１６間の共通配線部１Ｃｃに区分することができる。
【００３１】
専用配線部１Ｃａ、１Ｃｂはアノード側、カソード側いずれの側にあっても良いし、両方の側にあっても良い。
【００３２】
配線１Ａ、１Ｂはいずれかの組の電極端子間の通電によって発光する個別発光回路であり、配線１Ｃはいずれの組の電極端子間の通電によっても発光する共有発光回路であって、電極端子１１、１２間の電流は配線１Ａおよび１Ｃを流れ、電極端子１３、１４間の電流は配線１Ｂおよび１Ｃを流れる。
【００３３】
なお、ＬＥＤパッケージ保護等の目的でさらに配線が形成され、本来通電される電極端子間とは別の電極端子間の通電によって個別発光回路もしくはその一部に電流が流れることがあっても良いが、その場合、高抵抗部品が接続されるなどにより、電流量および光出力が限定され、本来の電極端子間による個別発光回路への通電に影響を与えず、発光装置の発光色変化を阻害しないことが好ましい。
【００３４】
発光装置１００は、電極端子１１、１２間のみの通電であれば、配線１Ａ、１Ｃ上のＬＥＤパッケージ群の発光による発光色となり、電極端子１３、１４間のみの通電であれば、配線１Ｂ、１Ｃ上のＬＥＤパッケージ群の発光による発光色となり、電極端子１１、１２間および電極端子１３、１４間の通電であれば、配線１Ａ、１Ｂ、１Ｃ上のＬＥＤパッケージ群の発光による発光色となる。そのため、各配線上のＬＥＤパッケージの発光色を適切に選択し、電極端子１１、１２間と１３、１４間の電流量および電流バランスを調整することで、発光装置１００の光出力および発光色変化が可能となる。
【００３５】
電極端子１１、１２間の配線１Ａ、１ＣはＬＥＤパッケージが接続されているため、配線としてダイオード特性を有するが、それぞれの配線に電流が流れ始める閾値電圧は略同一であることが好ましく、発光装置１００を電極端子１１、１２間のみで通電する際、配線１Ａと配線１Ｃの電流比を広い電流域において、おおよそ一定とすることができ、異なる電流値においても安定した発光色を得ることが可能となる。なお、配線１Ａ、１Ｃの閾値電圧は直列接続されたＬＥＤパッケージの閾値電圧の合計として得られる。
【００３６】
好ましくは、配線１Ａと配線１Ｃはそれぞれの配線上に同種のＬＥＤ素子が同じ直列数で接続されることで、各配線の閾値電圧が略同一となり、かつ温度変化に対しても互いに近い閾値電圧の関係を維持することができる。また、同一の配線上に異なる種類のＬＥＤ素子が使われている場合、配線１Ａと配線１Ｃにて同種のＬＥＤ素子ごとに同じ直列数であることが好ましい。
【００３７】
ＬＥＤパッケージのみで各配線を形成する発光装置１００の構成は、発光に寄与しない電子部品による電力消費は無く、発光装置の高効率化につながるため、好ましい。
【００３８】
なお、電極端子と配線の分岐点の間にＬＥＤパッケージが接続されていても良く、例えば電極端子１１と接続点１１１の間にＬＥＤパッケージが接続されていることで、発光装置としての光出力や発光色の調整が可能となる。
【００３９】
ＬＥＤパッケージ以外の電子部品を配線上に接続し、光出力や発光色等の調整を行っても良いが、配線１Ａ、１Ｃ両方に同種同数接続することで、閾値電圧が互いに近い値となるよう調整されることが好ましい。例えば、Ｌ１ｃ１はダイオードであっても良いが、配線１Ａ上にも同じダイオードが一つのＬＥＤパッケージに換えて接続されていることが好ましい。
【００４０】
なお、配線１Ｃ上の専用配線部１Ｃａ、共通配線部１ＣｃのいずれかにＬＥＤパッケージが搭載されていなくても良く、必要に応じて発光装置１００の光出力や発光色の調整をすることが可能である。ただし、電極端子１３、１４間の電流が個別発光回路である配線１Ａに流れないよう、共通配線部１Ｃｃの閾値電圧は配線１Ａの閾値電圧よりも低いことが好ましく、専用配線部１Ｃａにはダイオード特性を有する電子部品が接続されていることが好ましい。また、共通配線部１ＣｃにＬＥＤパッケージが接続されていない場合、抵抗を含む何らかの電子部品が接続されていることが好ましく、共通配線部１Ｃｃにかかる電圧の大きさによって各配線への分流比率が調整される。
【００４１】
抵抗については、閾値電圧への影響は小さく、異なる抵抗値の抵抗が各配線に接続され、各配線への分流比率等を調整する等に用いられても良い。
【００４２】
敢えて電極端子１１、１２間の配線１Ａと配線１Ｃの閾値電圧を異なるようにし、発光装置１００の調色の様相が低電流域と高電流域で異なるようにしても良い。
【００４３】
上述の内容は、電極端子１３、１４間の配線１Ｂ、１Ｃについても同様である。
【００４４】
共有発光回路である配線１Ｃを有することで、一方の電極端子間のみの通電であっても配線１Ｃに電流が流れるため、発光装置１００に流すことのできる許容電流量を少ない総配線数で効率的に大きくすることができる。
【００４５】
また、配線１Ａ、１Ｂ、１Ｃはそれぞれ並列に複数あっても良く、発光装置の許容電流量や発光の様相を調整することが可能となる。
【００４６】
なお、電極端子１１、１２間と電極端子１３、１４間のＬＥＤ素子直列数や閾値電圧は異なっていても良い。このとき、それぞれの電極端子間で並列に接続された配線の閾値電圧はほぼ同じとなるよう、専用配線部１Ｃａ、１ＣｂのＬＥＤパッケージ直列数などが調整されることが好ましい。
【００４７】
発光装置１００の発光色変化を実現するために、電極端子１１、１２間のみの通電での配線１Ａ、１Ｃの発光による発光装置１００の発光色と、電極端子１３、１４間のみの通電での配線１Ｂ、１Ｃの発光による発光装置１００の発光色はそれぞれ異なることが好ましい。
【００４８】
好ましくは、配線１Ａ、１Ｂの発光色はそれぞれ異なり、さらに好ましくは、配線１Ａ、１Ｂ、１Ｃの発光色はそれぞれ異なることで、より望ましい発光装置１００の発光色の変化を得ることが可能となる。
【００４９】
なお、本明細書において、各配線の発光色とは、それぞれの配線上のＬＥＤパッケージが通電により発光し、配線ごとのＬＥＤパッケージ群として発する光の発光色を言う。同一の配線内で異なる発光色を有するＬＥＤパッケージが用いられていても良い。また、同一の配線上で異なる領域を設け、領域ごとに発光色が異なっていることで、特別な演出を行う発光装置であっても良い。以下本明細書においては、簡単のため、特記ない限り、各配線の発光色は、配線上のＬＥＤパッケージ群の光が混合し、配線として一つの発光色を発するものとして説明する。
【００５０】
発光装置１００において、電極端子１１、１２間および１３、１４間の両方で通電した場合、各配線１Ａ、１Ｂ、１Ｃへ流れる電流量は配線１Ｃ上の共通配線部１Ｃｃにかかる電圧によって決まる。
【００５１】
より細かく説明するために、各配線にかかる電圧について、配線１Ａ（接続点１１１、１１２間）の電圧をＶａ、配線１Ｂ（接続点１１３−１１４間）の電圧をＶｂ、配線１Ｃのうち、専用配線部１Ｃａ（接続点１１１−１１５間）の電圧をＶｃａ、専用配線部１Ｃｂ（接続点１１３−１１５間）の電圧をＶｃｂ、共通配線部１Ｃｃ（接続点１１５−１１６間）の電圧をＶｃとすると、それぞれの電圧は以下の関係となる。
Ｖａ＝Ｖｃａ＋Ｖｃ
Ｖｂ＝Ｖｃｂ＋Ｖｃ
【００５２】
共通配線部１Ｃｃにかかる電圧Ｖｃは、各専用配線部１Ｃａ、１Ｃｂを通る電流の和が流れるための電圧値である必要があるため、両方の電極端子間での通電において、各配線への分流比率を調整するようになる。例えば、電極端子１１、１２間に流れる電流が大きければ、Ｖａ、ＶｃａおよびＶｃは大きくなる。このとき、電極端子１３、１４間に比較的小さい電流を流すと、Ｖｃｂ＝Ｖｂ−Ｖｃの関係から、Ｖｃが大きいとＶｃｂは小さくなる。そのため、専用配線部１Ｃｂに電流は流れにくくなり、電極端子１３、１４間の電流はその分、配線１Ｂに流れることとなる。
【００５３】
特に、ＶｃｂがＬＥＤパッケージＬ１ｃ２の閾値電圧に満たない場合、電極端子１３、１４間の電流は専用配線部１Ｃｂを通って配線１Ｃへ流れることができないため、配線１Ｃの共通配線部１Ｃｃには電極端子１１、１２間からの電流が流れ、電極端子１３、１４間の電流は配線１Ｂのみを流れることとなる。
【００５４】
電極端子１３、１４間の電流が大きくなるなどにより、ＶｃｂがＬＥＤパッケージＬ１ｃ２の閾値電圧を超えて大きくなれば、配線１Ｃの共通配線部１Ｃｃへは専用配線部１Ｃｂからの電流も流れるようになる。
【００５５】
各電極端子間の電流のバランスがさらに変化し、共通配線部１Ｃｃに流れる電流のうち、電極端子１３、１４間から専用配線部１Ｃｂを通って流れる電流が多くなると、Ｖｃは専用配線部１Ｃｂからの電流を流すために必要な値以上となるため、Ｖｃａ＝Ｖａ−Ｖｃの関係から、上記と同様に専用配線部１Ｃａに電流は流れにくくなる。さらにＶｃａがＬＥＤパッケージＬ１ｃ１の閾値電圧を下回るようになれば、電極端子１１、１２間の電流は専用配線部１Ｃａを通って配線１Ｃへ流れることができないため、配線１Ｃの共通配線部１Ｃｃには電極端子１３、１４間からの電流が流れ、電極端子１１、１２間の電流は配線１Ａのみを流れることとなる。
【００５６】
なお、両方の電極端子間から配線１Ｃへ電流が流れる場合、専用配線部１Ｃａ、１Ｃｂに電流が分かれて流れるため、専用配線部１Ｃａ、１Ｃｂの電圧Ｖｃａ、Ｖｃｂは低く、その分共通配線部１Ｃｃにかかる電圧Ｖｃが高くなる。そのため、共通配線部１Ｃｃには配線１Ａ、１Ｂよりも大きな電流が流れることとなる。
【００５７】
このような各配線へ流れる電流の変化に対して、発光装置１００の発光色は以下のような変化を示す。
【００５８】
ｘｙ色度図上で配線１Ａ、１Ｂ、１Ｃの発光色を示す色度点をそれぞれ１ａ、１ｂ、１ｃとして、発光装置１００の発光色の変化を図２により説明する。なお、簡単のため、ＬＥＤパッケージＬ１ｃ１、Ｌ１ｃ２は同じ発光色であるとし、いずれの専用配線部１Ｃａ、１Ｃｂを電流が流れても配線１Ｃの発光色の色度点１ｃは変わらないものとして説明する。
【００５９】
まず、電極端子１１、１２間のみの通電の場合、発光装置１００の発光色は色度点１ａ、１ｃを結ぶ直線１３１上で、配線１Ａ、１Ｃの光出力の強度比に応じた色度点１ａｃとなる。
【００６０】
同様に、電極端子１３、１４間のみの通電の場合、発光装置１００の発光色は色度点１ｂ、１ｃを結ぶ直線１３２上で、配線１Ｂ、１Ｃの光出力の強度比に応じた色度点１ｂｃとなる。
【００６１】
両方の電極端子１１、１２間および１３、１４間の通電において、電極端子１１、１２間の電流が電極端子１３、１４間の電流と比べて十分に大きく、専用配線部１Ｃａを通って流れる電流が配線１Ｃの中で支配的となり、電極端子１３、１４間の電流はほぼ配線１Ｂのみを流れる場合、発光装置１００の発光色は色度点１ａｃと１ｂを結ぶ直線１３３上の色度点１ａｃ寄りの色度点となる。
【００６２】
電極端子１１、１２間の電流に対する電極端子１３、１４間の電流比が増え、電流が専用配線部１Ｃｂを通って配線１Ｃに流れるようになると、電極端子１１、１２間の電流のうち、配線１Ａを流れる電流比率が増え、電極端子１３、１４間の電流のうち、配線１Ｂを流れる電流比率が減るため、発光装置１００の発光色は、色度点１ａｃ、１ａ間の色度点と、色度点１ｂｃ、１ｂ間の色度点を結ぶ直線上の色度点となり、電極端子間の電流比の変化による各配線からの光出力変化に応じて色度点は移動していく。
【００６３】
両方の電極端子から配線１Ｃへ電流が流れる場合、前述のとおり、共通配線部１Ｃｃには配線１Ａ、１Ｂよりも大きな電流が流れるため、発光装置１００の発光色は、直線１３３、１３４の交点を通ることなく、より色度点１ｃ寄りの色度点を通って変化していく。
【００６４】
さらに電極端子１３、１４間の電流比が大きくなり、専用配線部１Ｃｂからの電流が配線１Ｃに流れる電流の中で支配的となって、電極端子１１、１２間の電流がほぼ配線１Ａのみを流れるようになれば、発光装置１００の発光色は、色度点１ａと１ｂｃを結ぶ直線１３４上の色度点１ｂｃ寄りの色度点となる。
【００６５】
以上により、発光装置１００の発光色はｘｙ色度図上において緩やかな曲線１＿ａｂｃを描いて変化することとなる。
【００６６】
特に、図２に示すように、電極端子１１、１２間のみの通電による発光装置１００の発
光色１ａｃと電極端子１３、１４間のみの通電による発光装置１００の発光色１ｂｃを結ぶ直線に対して、配線１Ａ、１Ｂの発光色の色度点１ａ、１ｂが正の領域に位置し、配線１Ｃの発光色の色度点１ｃが負の領域に位置すれば、発光装置１００の発光色はｘｙ色度図上において上向きの調色曲線を描くこととなる。
【００６７】
さらに、配線１Ｃの発光色の色度点１ｃを黒体輻射軌跡よりも負の領域に位置させ、配線１Ａ、１Ｂの発光色の色度点１ａ、１ｂを黒体輻射軌跡よりも正の領域に位置させ、それぞれの光出力、色度点を適切に設定することにより、発光装置１００の発光色を黒体輻射軌跡に沿って変化させることも可能となる。
【００６８】
好ましくは、色度点１ａｃ、１ｂｃのうち、一方は色温度３０００Ｋよりも低い色温度の色度点であって、もう一方は色温度４０００Ｋよりも高い色温度の色度点であることで、所謂電球色から白色までの色変化を実現することが可能となる。
【００６９】
なお、各配線の並列数やＬＥＤパッケージの光出力ランク選別等により、配線１Ａ、１Ｂからの光出力が配線１Ｃからの光出力よりも大きくなるようにすれば、色度点１ａｃ、１ｂｃが色度点１ａ、１ｂにそれぞれより近づき、発光装置１００の調色範囲を広くすることができるため、好ましい。
【００７０】
また、専用配線部１Ｃａ、１Ｃｂ上のＬＥＤパッケージＬ１ｃ１、Ｌ１ｃ２の発光色をそれぞれ並列に接続する配線１Ａ、１Ｂと同じ、もしくは近い発光色とすれば、同様に色度点１ａｃ、１ｂｃが色度点１ａ、１ｂにそれぞれより近づき、発光装置１００の調色範囲を広くすることが可能となる。
【００７１】
配線１Ａ、１Ｂ、１Ｃの発光色がそれぞれ離れた色度点に位置することで、各発光色の異なるスペクトルの重なりにより、高い色再現性を有する高質な光を得ることが可能となる。
【００７２】
なお、単一の電源からの電流を分流して電極端子１１、１２の組と電極端子１３、１４の組の両方に通電した際、各電極端子間の電圧が本実施例のように略同一の閾値電圧であれば、電流はそれぞれの各配線１Ａ、１Ｂ、１Ｃに略均等に流れ、発光装置１００はそれぞれの配線からの発光色が発光出力に重みづけされた発光色を発することとなる。
【００７３】
例えば、図３に示すように、配線１Ｃの発光色の色度点１ｃ’が一方の個別発光回路の色度点により近ければ、両方の電極端子間に入力電流を分流した場合の発光装置の色度点１ａｂｃ’は、片側の電極端子間の通電による色度点１ａｃ’、１ｂｃ’の中点とは異なる色度点として得ることができる。
【００７４】
専用配線部１Ｃａ、１Ｃｂ上のＬＥＤパッケージの発光色の選択や特定の発光色の配線の並列数を増減するなどで、分流による通電時の発光装置１００の発光色をさらに調整することも可能である。また、配線１Ｃの共有発光回路からの発光色は他の個別発光回路からの発光色と同じであっても良い。
【００７５】
単純な２系統の個別発光回路のみからなる発光装置であれば、単一電源からの分流による発光装置の色度点は、２つの発光色の発光強度に重みづけされた中点となるのに対して、本発明では分流時の色度点をより任意に設定することが可能である。例えば、分流器を使って、２つの電極端子間のみの通電と両方への分流を切り替えるだけで、照明の発光色として多く用いられる色温度２７００Ｋ、３０００Ｋ、４０００Ｋの発光色がそれぞれ黒体輻射軌跡上の色度点として得られるように設定しても良い。
【００７６】
分流器はそれぞれの組の電極端子への通電と両方の電極端子への通電とを切り替える機能のみであれば、機械的スイッチや電気的スイッチング素子などを用いて少ない部品点数で構成することができ、分流器の操作も簡単となるため好適である。もしくは、抵抗等を用いて分流の比率を調整しても良いし、必要に応じて複数の分流比率が設定できるようにしても良い。
【００７７】
（ＬＥＤパッケージ）
ＬＥＤパッケージＬ１ａ１〜Ｌ１ｃ４は、ＬＥＤ素子が搭載され、ＬＥＤ素子からの光を透光性樹脂などを介して発光する電子部品であり、ＬＥＤ素子からの光をそのまま変換せずに発する単色タイプ、ＬＥＤ素子からの光を蛍光体により変換するタイプなどがある。また、パッケージとして、チップスケールパッケージタイプ、表面実装タイプ、チップオンボード（ＣＯＢ）タイプ、等を問わない。照明用として使用される場合は、一般にＩｎＧａＮ系のＬＥＤ素子からの光の一部もしくは全部を蛍光体により変換し白色系の光を発する、白色ＬＥＤパッケージが好ましく、色味は適宜選択される。
【００７８】
閾値電圧などの電流電圧特性が発光装置の色変化の特性に影響を与えるため、電気的特性の選別されたＬＥＤパッケージが用いられることが好ましい。
【００７９】
なお、発光装置として均一な光が得られるように、各ＬＥＤパッケージはそれぞれの発光色の光が互いに混ざり易い近い距離であったり、隣り合う異なる発光色のＬＥＤパッケージがそれぞれ等間隔となるよう配置されたりすることが好ましい。
【００８０】
例えば、フレキシブル基板等にＬＥＤパッケージが実装されたストライプ上の発光装置において、配線１Ａ、１Ｂ、１Ｃ上のＬＥＤパッケージをそれぞれ交互に配置することで、各ＬＥＤパッケージからの光を混ざり易くすることが可能となる。
【００８１】
もしくは、発光装置の発する光の方向が発光色によって異なる等の特別な照明の演出を行うため、各ＬＥＤパッケージは敢えて混ざり合わない位置に配置されても良い。
【００８２】
また、個別発光回路と共有発光回路を並列に有する電極端子の組を３つ以上備えることで、発光装置の色変化をより細かく調整することが可能となる。なお、共有発光回路は２つの組の電極端子からの電流が流れるように接続されても良いし、３つ以上の組の電極端子からの電流が流れるように接続されても良い。
【００８３】
（実施の形態２）
図４に示すように、本発明の実施の形態２に係る発光装置２００は、アノード電極端子２１、２３とカソード電極端子２２、２４を備え、電極端子２１と２２は１つの組であり、配線２Ａ、２Ｃが並列に接続され、電極端子２３と２４は１つの組であり、配線２Ｂ、２Ｄが並列に接続される。なお、図４においては、カソード電極端子２２、２４はコモンであっても良い。
【００８４】
配線２Ａは接続点２１１−２１２間にＬＥＤパッケージＬ２ａ１、Ｌ２ａ２、Ｌ２ａ３およびダイオードＤ２ａを直列に有し、配線２Ｂは接続点２１３−２１４間にＬＥＤパッケージＬ２ｂ１、Ｌ２ｂ２、Ｌ２ｂ３およびダイオードＤ２ｂを直列に有し、配線２Ｃは接続点２１１−２１５間にＬＥＤパッケージＬ２ｃ１、Ｌ２ｃ２、Ｌ２ｃ３を直列に有し、配線２Ｄは接続点２１３−２１５間にＬＥＤパッケージＬ２ｄ１、Ｌ２ｄ２、Ｌ２ｄ３を直列に有し、共通配線部となる接続点２１５−２１６間にダイオードＤ２ｃｄを有する。なお、各配線上のＬＥＤパッケージおよびダイオードの直並列数は、所望の光出力や入力電源装置の仕様などによって適宜調整されることが好ましい。
【００８５】
配線２Ａと共通配線部を含む配線２Ｃは、各配線の閾値電圧が略同一となるよう、同種のＬＥＤ素子が同じ直列数となるよう接続され、ダイオードも同種同直列数であることが好ましく、電極端子２１、２２間の通電で異なる電流値においても安定した発光色を得ることが可能となる。配線２Ｂ、２Ｄについても同様である。
【００８６】
本実施の形態においては、配線２Ａ、２Ｂが個別発光回路であり、ダイオードＤ２ｃｄを備えた共通配線部を含む配線２Ｃと２Ｄが併せて共有発光回路２ＣＤとなる。電極端子２１、２２間の電流は配線２Ａ、２Ｃを流れ、電極端子２３、２４間の電流は配線２Ｂ、２Ｄを流れる。
【００８７】
発光装置２００は、電極端子２１、２２間のみの通電であれば、配線２Ａ、２Ｃの発光による混合色を発し、電極端子２３、２４間のみの通電であれば、配線２Ｂ、２Ｄの発光による混合色を発し、電極端子２１、２２間および電極端子２３、２４間の通電であれば、配線２Ａ、２Ｂ、２Ｃ、２Ｄの発光による混合色を発する。そのため、各配線上のＬＥＤパッケージの発光色を適切に選択し、電極端子２１、２２間と２３、２４間の電流量および電流バランスを調整することで、発光装置２００の光出力および発光色変化が可能となる。
【００８８】
電極端子２１、２２間および２３、２４間の両方で通電した場合は、配線２Ｃ、２Ｄに流れる電流が共にダイオードＤ２ｃｄを通るため、ダイオードＤ２ｃｄに電流を流すための駆動電圧が必要となることで、実施の形態１で示したのと同様に、各電極端子間の電流バランスに応じて、それぞれの電極端子間で各配線への分流比率が変化する。
【００８９】
図５を用いて各電極端子間の電流バランスの変化に対する発光装置２００の発光色の変化を説明する。なお、ｘｙ色度図上で配線２Ａ、２Ｂ、２Ｃ、２Ｄの発光色を示す色度点をそれぞれ２ａ、２ｂ、２ｃ、２ｄとする。
【００９０】
実施の形態１で示したのと同様に、電極端子２１、２２間のみの通電の場合、発光装置２００の発光色はそれぞれ色度点２ａ、２ｃを結ぶ直線２３１上で、配線２Ａ、２Ｃの光出力の強度比に応じた色度点２ａｃとなる。また同様に、電極端子２３、２４間のみの通電の場合、発光装置２００の発光色は色度点２ｂ、２ｄを結ぶ直線２３２上で、配線２Ｂ、２Ｄの光出力の強度比に応じた色度点２ｂｄとなる。
【００９１】
電極端子２１、２２間の電流が電極端子２３、２４間の電流に比べて十分に大きく、ダイオードＤ２ｃｄに流れる電流のうち、配線２Ｃからの電流が支配的である場合、発光装置２００の発光色は色度点２ａｃと色度点２ｂを結ぶ直線２３３上の２ａｃ寄りの色度点
となる。
【００９２】
電極端子２１、２２間の電流に対する電極端子２３、２４間の電流比が増え、電流が配線２Ｄを通って流れるようになると、電極端子２１、２２間の電流のうち、配線２Ａを流れる電流比率が増え、電極端子２３、２４間の電流のうち、配線２Ｂを流れる電流比率が減るため、発光装置２００の発光色は、２ａｃ、２ａ間の色度点と、２ｂｄ、２ｂ間の色度点を結ぶ直線上の色度点となり、電極端子間の電流比の変化による各配線からの光出力変化に応じて色度点は移動していく。
【００９３】
さらに２３、２４間の電流比が大きくなり、配線２Ｄからの電流がダイオードＤ２ｃｄに流れる電流の中で支配的となり、電極端子２１、２２間の電流がほぼ配線１Ａのみを流れるようになれば、発光装置２００の発光色は、色度点２ｂｄと２ａを結ぶ直線２３４上の２ｂｄ寄りの色度点となる。
【００９４】
以上により、発光装置２００の発光色はｘｙ色度図上において緩やかな曲線２＿ａｂｃを描いて変化することとなる。
【００９５】
特に、図５に示すように、電極端子２１、２２間のみの通電による発光装置２００の発光色２ａｃと電極端子２３、２４間のみの通電による発光装置２００の発光色２ｂｄを結ぶ直線に対して、配線２Ａ、２Ｂの発光色の色度点２ａ、２ｂが正の領域に位置し、配線２Ｃ、２Ｄの発光色の色度点２ｃ、２ｄが負の領域に位置すれば、発光装置２００の発光色はｘｙ色度図上において上向きの調色曲線を描くこととなる。
【００９６】
さらに、配線２Ａ、２Ｂの発光色の色度点２ａ、２ｂを黒体輻射軌跡よりも正の領域に位置させ、２Ｃ、２Ｄの発光色の色度点２ｃ、２ｄを黒体輻射軌跡よりも負の領域に位置させ、それぞれの光出力、色度点を適切に設定することにより、発光装置２００の発光色を黒体輻射軌跡に沿って変化させることも可能となる。
【００９７】
好ましくは、色度点２ａｃ、２ｂｄのうち、一方は色温度３０００Ｋよりも低い色温度の色度点であって、もう一方は色温度４０００Ｋよりも高い色温度の色度点であることで、所謂電球色から白色までの色変化を実現することが可能である。
【００９８】
それぞれのダイオードＤ２ａ、Ｄ２ｂ、Ｄ２ｃｄはＬＥＤなどの発光素子であっても良く、発光装置の発光効率を高くすることができる。または、電流の大きさによって電圧値の変化するその他の電子部品であっても良い。
【００９９】
さらに、ダイオードはそれぞれ抵抗であっても良く、電流制限抵抗となって、定電圧入力にも対応することが可能となる。各配線への電流を調整するために、配線ごとの抵抗値は異なっていても良い。
【０１００】
定電圧入力においては、例えば、ＰＷＭ制御により各電極端子への入力電力を比較的容易に調整することが可能であり、特に各電極端子へのパルス電力入力が同期することで、各電極端子間から共有発光回路へ流れる電流量を制御し、上述のような色変化を得ることが可能となる。
【０１０１】
定電圧入力であることで、例えば、本発明の発光装置を定電圧電源供給ラインに対して複数並列に接続し、複数の発光装置が同期して色変化するような照明システムも実現可能である。
【０１０２】
（実施の形態３）
図６に示すように、本発明の実施の形態３に係る発光装置３００は基板３０１上に電極端子３１、３２、３３、３４および配線パターンを有し、金線接続等によって複数のＬＥＤ素子Ｅ３０が接続された発光回路３Ａ１、３Ａ２、３Ｂ１、３Ｂ２、３Ｃ１、３Ｃ２が形成されている。各発光回路上のＬＥＤ素子Ｅ３０の直並列数は、所望の光出力や入力電源装置の仕様などによって適宜調整されることが好ましい。
【０１０３】
なお、発光回路３Ａ１、３Ａ２は電極端子３１、３２間に形成され、発光回路３Ｂ１、３Ｂ２は電極端子３３、３４間に形成され、それぞれの電極端子に対する個別発光回路となっている。また、発光回路３Ｃ１、３Ｃ２はいずれの電極端子間の通電によっても電流が流れる共有発光回路となっている。接続点３１３−３１４間、３１７−３１４間、３２１−３２４間、３２３−３２４間、３１５−３１６間、３１５−３１８間、３２５−３２２間、３２５−３２６間はいずれかの電極端子間の通電によって電流が流れる専用配線部であって、接続点３１４−３１５間、３２４−３２５間は共通配線部となる。
【０１０４】
専用配線部はカソード側、アノード側両方に形成されていることで、回路構成が対称的な構造となり、発光装置３００より対称の発光パターンが得られるため、好ましい。
【０１０５】
以上の構成により、電極端子３１、３２間の通電では、発光回路３Ａ１、３Ａ２、３Ｃ１、３Ｃ２が発光し、電力端子３３、３４間の通電では、発光回路３Ｂ１、３Ｂ２、３Ｃ１、３Ｃ２が発光する。
【０１０６】
なお、各電極端子間の発光回路上のＬＥＤ素子Ｅ３０は同種であって、同じ直列数で接続されていることが好ましく、より好ましくは電圧によってランク選別されたＬＥＤ素子が用いられることで、電極端子３１、３２間で並列に接続される発光回路３Ａ１、３Ａ２、３Ｃ１、３Ｃ２の閾値電圧は略同一となり、また、電極端子３３、３４間で並列に接続される発光回路３Ｂ１、３Ｂ２、３Ｃ１、３Ｃ２の閾値電圧も略同一となることで、それぞれの電極端子間の通電において、広い電流域で安定した発光色を得ることが可能となる。
【０１０７】
図７に示すように、各発光回路３Ａ１、３Ａ２、３Ｂ１、３Ｂ２、３Ｃ１、３Ｃ２上のＬＥＤ素子Ｅ３０は樹脂ダム３０３によって囲まれた発光部３０２内で透光性樹脂によって覆われ、それぞれ発光領域３０Ａ１、３０Ａ２、３０Ｂ、３０Ｃ１、３０Ｃ２を形成する。
【０１０８】
白色系の発光色が所望される場合は、紫色領域もしくは青色領域にピーク発光波長の存在するＩｎＧａＮ系のＬＥＤ素子が用いられ、蛍光体の配合された透光性樹脂によって覆われることで、ＬＥＤ素子から放射された一次光の一部が蛍光体によって可視光域にスペクトル成分を有する光に変換され、白色系の光が得られる。それぞれの発光領域３０Ａ１、３０Ａ２、３０Ｂ、３０Ｃ１、３０Ｃ２から所望する発光色が得られるように蛍光体の配合比率がそれぞれ調整されることが好ましい。
【０１０９】
発光装置３００が色変化するために、それぞれの電極端子間の個別発光回路を覆う発光領域３０Ａ１、３０Ａ２と発光領域３０Ｂは異なる発光色を有することが好ましく、より好ましくは、共有発光回路を覆う発光領域３０Ｃ１，３０Ｃ２も異なる発光色を有することで、望ましい発光色の変化を得ることが可能となる。
【０１１０】
また、発光領域３０Ａ１、３０Ａ２は同じ発光色を発するように蛍光体の混合比率などが調整されることが好ましく、発光部３０２から対称の発光パターンを得ることができる。また、発光領域３０Ｃ１、３０Ｃ２についても同様である。
【０１１１】
発光領域３０Ａ１、３０Ａ２、３０Ｂ、３０Ｃ１、３０Ｃ２を形成する透光性樹脂は、透光性を有する樹脂であれば限定されない。例えば、優れた耐熱性を有するシリコーン樹脂などであることが好ましい。なお、高チクソタイプの透光性樹脂と低チクソタイプの透光性樹脂が隣り合うように使われることが好ましく、各発光領域を形成することが容易となる。
【０１１２】
樹脂ダム３０３は発光部３０２を覆う透光性樹脂を堰き止めるための樹脂であり、透明や白色などの光を吸収しにくい材質であることが好ましい。
【０１１３】
発光回路および発光領域は、例えば、図６、７で示すように発光部３０２の中心に対して対称に形成されることが好ましく、発光部３０２から対称の発光パターンが得られ、各発光領域からの光の混合が容易となる。
【０１１４】
以上の構成により、発光装置３００は実施の形態１で示したのと同様に、各電極端子間の電流調整により、発光装置３００の発光色変化がｘｙ色度図上で曲線を描き、さらには黒体輻射軌跡に沿った色変化も実現することが可能となる。
【０１１５】
また、回路構成やＬＥＤ素子の接続、発光領域の配置などを実施の形態２で示したのと同様な構成で発光装置３００を得ても良い。
【０１１６】
なお、発光回路の一部のＬＥＤ素子は同じ発光回路上の他のＬＥＤ素子と異なる発光領域に配置されていても良く、発光装置３００の発光部内でＬＥＤ素子の配置を最適化し、発光領域ごとの光出力のバランスを調整することが可能となる。また、共有発光回路といずれかの個別発光回路が同じ蛍光体配合の樹脂で覆われた同じ発光色であっても良く、発光装置の製造がより容易となる。さらに、同じ蛍光体配合の樹脂であっても高チクソタイプの樹脂を用いるなどにより部分的に樹脂高さを変え、発光領域ごとに所望の発光色を得ても良い。
【０１１７】
（基板）
ＬＥＤ素子が実装される基板３０１は光反射率が高く、放熱性の高い材料であることが好ましく、アルミナセラミックやアルミニウムなどが用いられ、ＬＥＤ素子などの部品実装や電気的接続のための配線パターンが基板上に形成される。単一の基板に発光部を含んだ全ての回路が実装された所謂チップオンボードタイプであれば、取り扱いが容易であり好ましい。
【０１１８】
（ＬＥＤ素子）
ＬＥＤ素子Ｅ３０は、アノード用電極パッドとカソード用電極パッドを有し、ワイヤーもしくはバンプおよび基板上の配線パターンを介して、ＬＥＤ素子同士が接続されている。各回路の閾値電圧調整が容易となるよう、電圧が例えば０．１Ｖごとにランク選別されたＬＥＤ素子を用いることが好ましい。
【０１１９】
生産性や並列回路間の閾値電圧の調整等のため、発光装置３００には同種のＬＥＤ素子が搭載されることが好ましい。
【０１２０】
なお、発光装置３００は共有発光回路である配線３Ｃ１、３Ｃ２を有するため、全てが個別発光回路として構成されている場合と比べて、ＬＥＤ素子を有効に使うことができ、発光部３０２においてより大きな入力電力密度と発光密度を得ることが可能となる。
【０１２１】
具体的には、図６に示すように、６つの発光回路を並列に有する配列において、発光装置３００の各電極端子間で通電する並列回路数はそれぞれ４つであるが、個別発光回路のみからなる配列であれば、各電極端子で通電する並列回路数はそれぞれ３つとなり、本発明に関わる発光装置は並列回路数が多いためにより大きな電流を流すことができる。
【０１２２】
なお、その他の参考形態として、図８に示すアノード電極端子４１、４３とカソード電極端子４２、４４を備え、電極端子４１と４２は１つの組であり、配線４Ａ、４Ｃが並列に接続され、電極端子４３と４４は１つの組であり、配線４Ｂ、４Ｄが並列に接続される発光装置４００において、配線４Ｃ、４Ｄはスイッチング回路部Ｑ４１、Ｑ４２を有し、２つの組の各電極端子間の電流差に応じて、各スイッチング回路部によるパルス通電や電流値調整などにより、配線４Ｃ、４Ｄへの電流値を調整することで、２つの電極端子間の通電によって、調色曲線を描く発光装置も可能である。
【０１２３】
この場合、２つの電極間の電流差を検知し、スイッチング回路部Ｑ４１、Ｑ４２を制御するコンパレータ回路部４０５を必要とし、より複雑な発光装置の回路設計が必要となる。コンパレータ回路部４０５はコンパレータ部品のみであっても、コンパレータ部品とその他電子部品との組み合わせであっても良いし、もしくは抵抗の組み合わせなどにより分圧値を得る方式であっても良い。また、演算処理を行うマイコンが使われても良く、オンオフの２値出力ではなく、多値出力であっても良い。また、必要に応じて複数のコンパレータ回路が用いられていても良い。
【０１２４】
スイッチング回路部Ｑ４１、Ｑ４２は、トランジスタ、電界効果型トランジスタ、サイリスタなどのスイッチング素子のみであっても、スイッチング素子とその他電子部品の組み合わせであっても良い。また、単純なオンオフ制御のみではなく、流れる電流量の制御を行うようにしても良く、より望ましい発光装置の色変化を得ることが可能となる。
【０１２５】
なお、それぞれの電極端子間に流れる電流量の情報を得ることができれば、コンパレータ回路部４０５が電圧を検知する接続点４１１、４１４は配線上のいずれの場所であっても良く、もしくは、電力供給源部など電極端子間の配線以外の場所であっても良い。スイッチング回路部はいずれかの専用配線部のみに接続されていても良い。
【０１２６】
また、配線４Ｃ、４Ｄは単一の配線であって、各電極端子間の電流がスイッチング回路Ｑ４１、Ｑ４２の制御によって単一の配線に流れるように構成されていても良い。
【０１２７】
発光装置４００は、電極端子間に流れる電流量が大きい方のスイッチング回路がオンとなれば、ＬＥＤパッケージあたりの電流量が平準化されるために好ましい。その場合において、電極端子４１、４２間のみの通電であれば、配線４Ａ、４Ｃの発光による混合色を発し、電極端子４３、４４間のみの通電であれば、配線４Ｂ、４Ｄの発光による混合色を発し、電極端子４１、４２間および電極端子４３、４４間の通電であれば、配線４Ａ、４Ｂの発光と、電流バランスによって決まる配線４Ｃ、４Ｄの発光による混合色を発する。そのため、各配線上のＬＥＤパッケージの発光色を適切に選択し、電極端子間４１、４２間と４３、４４間の電流比率を調整することで、発光装置４００の望ましい光出力および発光色変化を得ることが可能となる。
【０１２８】
本発明は上述した実施形態に限定されるものでは無く、請求項に示した範囲で種々の変更が可能であり、異なる実施形態にそれぞれ開示された技術的手段を適宜組み合わせて得られる実施形態についても本発明の技術的範囲に含まれる。
【実施例１】
【０１２９】
実施例１では、実施の形態１と同様の構成の発光装置を用いて試験を行った。配線１Ａの発光色の色度点は（０．４９０７，０．４２６１）であり、配線１Ｂの発光色の色度点は（０．３８１８，０．４０５３）であり、配線１Ｃの発光色の色度点は（０．４６８６，０．４０５３）であった。なお、配線１Ｃ上のＬＥＤパッケージＬｃ１、Ｌｃ２は同じ発光色のものを用い、いずれの電極端子間の通電によっても、配線１Ｃの発光色は同じになるようにした。
【０１３０】
電極端子１１、１２間のみを通電した時の発光色は（０．４７９１，０．４１２３）であり、電極端子１３、１４間のみを通電した時の発光装置の発光色は（０．４２５８，０．４０２７）であった。
【０１３１】
電極端子１１、１２間および１３、１４間に通電する電流の和を一定として、電流の比率を変えることで、図９に示すように発光装置の光出力の色度点がｘｙ色度図上で上向きの曲線を描いて移動する発光色の変化が確認できた。なお、２つの電極端子間の電流の和が異なる値であっても同様の発光色および発光色変化を示した。
【符号の説明】
【０１３２】
１００，２００，３００，４００  発光装置
３０１  基板
１１，１２，１３，１４，２１，２２，２３，２４，３１，３２，３３，３４，４１，４２，４３，４４  電極端子
Ｌ１ａ１〜Ｌ１ｃ４，Ｌ２ａ１〜Ｌ２ｄ３，Ｌ４ａ１〜Ｌ４ｄ３  ＬＥＤパッケージ
Ｄ２ａ，Ｄ２ｂ，Ｄ２ｃｄ  ダイオード
Ｅ３０  ＬＥＤ素子
４０５  コンパレータ回路
Ｑ４１，Ｑ４２  スイッチング回路
【図１】
2019091874.tif 000003
【図２】
2019091874.tif 000004
【図３】
2019091874.tif 000005
【図４】
2019091874.tif 000006
【図５】
2019091874.tif 000007
【図６】
2019091874.tif 000008
【図７】
2019091874.tif 000009
【図８】
2019091874.tif 000010
【図９】
2019091874.tif 000011